(57)【特許請求の範囲】
【請求項１】
一枚の板体に３本の平行な縦折り部を設けることによって背面板と右側面板と左側面板と前面板の４面を構成し、これらの縦折り部を直角に折り曲げることによって断面形状が略長方形の収納空間が形成されてなる小物収納ケースにおいて、
前面板には、互いに平行な縦谷折り部と縦山折り部とが少なくとも１組形成され、前記縦谷折り部と縦山折り部とで囲まれた部分の上部には縦谷折り部から縦山折り部に至り更に延伸された切り込み線が形成され、
前記縦谷折り部と縦山折り部とで囲まれた部分の下部には前記縦山折り部から縦谷折り部に至り更に延伸された切り込み線が形成され、
前面板と右側面板とを、前面板と右側面板との境界の縦折り線ｅ３で折り曲げて、前面板と右側面板とを折り重ねた状態では、前面板の切り込み線上部に形成される前面板５の上部５２の左端５２ｂが、背面板と左側面板との境界の折り込み線ｅ１と重なる構成とされ、
前面板と右側面板とを折り重ねない平面状態では、前記前面板５の上部５２の前記左端５２ｂが他のいずれの面とも連接しない構成とされ、
前記縦谷折り部と縦山折り部とで囲まれた部分が、前面板に直角になるように折り曲げられることによって、前記収納空間の仕切り板とされていることを特徴とする小物収納ケース。
【請求項２】
前面板の下部が、縦折り部と交差して形成された山折り部で背面部側へ折り曲げられて背面板に係止されることによって、収納空間の底面板とされていることを特徴とする請求項１に記載の小物収納ケース。
【発明の詳細な説明】
【０００１】
【発明の属する技術分野】
本発明は、小型の電子機器やその周辺機器、さらには菓子・玩具・装飾品や薬品や日用品等を収納することのできる小物収納ケースに関するものである。
【０００２】
【従来の技術】
以上のような目的のケースの一例として、特開平11-342055号公報に開示されたものがある。このケースは、図４に示したように、一枚の段ボールに水平方向の山折り部110と谷折り部120と、これらを横切る切り込み線130とを形成し、水平な仕切り板140によって複数の収納空間150、160を形成したものである。
【０００３】
【発明が解決しようとする課題】
ところが、上述したような従来の小物収納ケースは、仕切り板140が水平方向になるので、収納物が脱落しやすいとともに、縦長の収納物等を収納するのに適していなかった。
また、収納空間どうしの間に隙間が多くでき収納性に欠けるという問題があった。また、前記谷折り部、山折り部の折り目を略直角に保つための何らかの部材が必要であって、小物収納ケースの製作工数が増えるとともに、部品点数が増えるので、小物収納ケースのコストが高くなるという問題があった。
【０００４】
そこで、本発明は、確実な収納が可能で、複数の収納空間を持った小物収納ケースを提案することを目的としてなされたものである。
【０００５】
【課題を解決するための手段】
一枚の板体に３本の平行な縦折り部を設けることによって背面板と右側面板と左側面板と前面板の４面を構成し、これらの縦折り部を直角に折り曲げることによって断面形状が略長方形の収納空間が形成されてなる小物収納ケースにおいて、
前面板には、互いに平行な縦谷折り部と縦山折り部とが少なくとも１組形成され、前記縦谷折り部と縦山折り部とで囲まれた部分の上部には縦谷折り部から縦山折り部に至り更に延伸された切り込み線が形成され、
前記縦谷折り部と縦山折り部とで囲まれた部分の下部には前記縦山折り部から縦谷折り部に至り更に延伸された切り込み線が形成され、
前面板と右側面板とを、前面板と右側面板との境界の縦折り線ｅ３で折り曲げて、前面板と右側面板とを折り重ねた状態では、前面板の切り込み線上部に形成される前面板５の上部５２の左端５２ｂが、背面板と左側面板との境界の折り込み線ｅ１と重なる構成とされ、
前面板と右側面板とを折り重ねない平面状態では、前記前面板５の上部５２の前記左端５２ｂが他のいずれの面とも連接しない構成とされ、
前記縦谷折り部と縦山折り部とで囲まれた部分が、前面板に直角になるように折り曲げられることによって、前記収納空間の仕切り板とされるように構成した。
【０００６】
請求項２の発明は、前面板の下部が、縦折り部と直角方向に形成された山折り部で折り曲げられることによって、収納空間の底面板とされていることを特徴とするものである。
【０００７】
【発明の実施の形態】
以下に、本発明にかかる小物収納ケースを、その実施の形態を示した図面に基づいて詳細に説明する。
【０００８】
本発明の小物収納ケースを構成する段ボール製の板体を開いた状態の平面図を示した図１において、
一枚の段ボール製の板体１’が、３本の平行な縦折り部ｅ１，ｅ２，ｅ３によって背面板２と右側面板３と左側面板４と前面板５の４面に構成されている。
前面板５には、互いに平行な縦谷折り部ａ１、ａ２、ａ３、ａ４と縦山折り部ｂ１、ｂ２、ｂ３、ｂ４とが形成されている。そして、５本の切り込み線ｋ１、ｋ２、ｋ３、ｋ４、ｋ５が形成されている。前面板５の下部には底面板５１が延設され、前面板５と底面板５１との境界には山折り部ｇが形成されている。底面板５１の先縁には凸片５１ａ、５１ａが形成されている。背面板２の下部には前記凸片５１ａ、５１ａが差し込まれるべきスリット２ａ、２ａが形成されている。
ここで、前記切り込み線ｋ１、ｋ２、ｋ３、ｋ４によって、前面板５と一部切り離される板を前面板５の上部５２とする。そして、組み立てた状態（図３）において、この前面板５の上部５２の右側の端を右端５２ａ，左側の端を左端５２ｂとする。
そして、図１のように、前面板５と右側面板３とを折り重ねない平面状態では、前記前面板５の上部５２の前記左端５２ｂが他のいずれの面とも連接しない構成とする。
【０００９】
前記背面板２の上部には上部片２１、２２が延設され、これらの境界には谷折り部ｆ１、ｆ２が形成されている。上部片２２の先縁には凸片２２ａ、２２ａが形成されている。背面板２の前記谷折り部ｆ１に沿って前記凸片２２ａ、２２ａが差し込まれるべきスリット２ｂ、２ｂが形成されている。
また、右側面板３の上部には谷折り部ｆ３を境界として舌片３１が形成され、左側面板４の上部には谷折り部ｆ４を境界として舌片４１が形成されている。
さらに、左側面板４の側部には前面板５に接着させるための舌片４２が凸設されている。
【００１０】
二つ折りに畳んだ状態の板体１’を前面側から見た斜視図を示した図２において、前記縦谷折り部ａ１と縦山折り部ｂ１とで囲まれた部分ｃ１' の上部には縦谷折り部ａ１から縦山折り部ｂ１に至り更に延伸された切り込み線ｋ１が形成され、前記縦谷折り部ａ１と縦山折り部ｂ１とで囲まれた部分ｃ１' の下部には前記縦山折り部ｂ１から縦谷折り部ａ１に至り更に延伸された切り込み線ｋ４が形成されている。
前記縦谷折り部ａ２と縦山折り部ｂ２とで囲まれた部分ｃ２' の上部には縦谷折り部ａ２から縦山折り部ｂ２に至り更に延伸された切り込み線ｋ２が形成されている。前記縦谷折り部ａ２と縦山折り部ｂ２とで囲まれた部分ｃ２' の下部には前記縦山折り部ｂ２から縦谷折り部ａ２に至り更に延伸された切り込み線は前記切り込み線ｋ１の延伸した部分と一致している。
そして、前面板５の上部５２の右端５２ａは平面板と右側面板との境界の折り込み線ｅ２の位置に重なり、前面板５の上部５２の左端５２ｂは平面板と左側面板との境界の折り込み線ｅ１の位置に重なっている。（図５の（ａ）を参照。）
【００１１】
前記縦谷折り部ａ３と縦山折り部ｂ３とで囲まれた部分ｃ３' の上部には縦谷折り部ａ３から縦山折り部ｂ３に至り更に延伸された切り込み線ｋ３が形成されている。前記縦谷折り部ａ３と縦山折り部ｂ３とで囲まれた部分ｃ３' の下部においえ、前記縦山折り部ｂ３から縦谷折り部ａ３に至り更に延伸された切り込み線は前記切り込み線ｋ２の延伸した部分と一致している。
前記縦谷折り部ａ４と縦山折り部ｂ４とで囲まれた部分ｃ４' の上部には縦谷折り部ａ４から縦山折り部ｂ４に至り更に延伸された切り込み線ｋ４が形成されている。前記縦谷折り部ａ４と縦山折り部ｂ４とで囲まれた部分ｃ４' の下部において、前記縦山折り部ｂ４から縦谷折り部ａ４に至り更に延伸された切り込み線は前記切り込み線ｋ４の延伸した部分と一致している。
【００１２】
なお、前述した４箇所の縦谷折り部は互いに並行且つ等間隔であるとともに同じ長さとなっている。前述した４箇所の縦山折り部も互いに並行且つ等間隔であるとともに同じ長さとなっている。前述した３本の切り込み線は互いに平行移動させると重なる合同な形状となっている。
【００１３】
更に、４本目の切り込み線ｋ４が、前面板５の左端縁から縦谷折り部ａ１の下端を通って縦山折り部ｂ１の上端まで形成されている。また、５本目の切り込み線ｋ５が、前記縦谷折り部ａ４の上端から真横に切り込みされ、途中で下方に曲がって隣接する縦山折り部ｂ４の上端に至り、さらに斜めに切り込みされた後真横に延伸して、右端縁まで形成されている。
【００１４】
以上の構成の小物収納ケースを構成する段ボール製の板体１' は、使用しない状態では、図２に示したように、谷折り部ｅ１と谷折り部ｅ３の２箇所で折り曲げて背面板２と前面板５とが重なった状態で収納等しておく。この状態では、厚みが薄いのでコンパクトに収納できるという効果が得られる。
【００１５】
以上の板体１' を組み立てて小物収納ケースとして使用するときには、図３に示したように、図２の状態から、谷折り部ｅ２を直角に折り曲げると共に、180°折り返されていた谷折り部ｅ１と谷折り部ｅ３を直角に戻し、断面形状が略長方形の小物収納ケース１とする。
【００１６】
次に、４本の切り込み線の部分が確実に切り離されていることを確認して、４箇所の縦谷折り部ａ１、ａ２、ａ３、ａ４を谷折りするとともに、４箇所の縦山折りｂ１、ｂ２、ｂ３、ｂ４を谷折りする。
このように折り曲げることによって、前面板５の上部５２と下部５３とは離れて、隙間ができる。
このとき、図２において示した、各縦谷折り部ａ１、ａ２、ａ３、ａ４と縦山折り部ｂ１、ｂ２、ｂ３、ｂ４とで囲まれた部分ｃ１'   、ｃ２' 、ｃ３' 、ｃ４' は、図３においては、前面板５に対して直角になるように折り曲げられることによって、５つの収納空間ｄ１、ｄ２、ｄ３、ｄ４、ｄ５の仕切り板ｃ１、ｃ２、ｃ３、ｃ４となっている。
続いて、底面板５１を折り曲げてその先縁の凸片５１ａ、５１ａを、背面板２の下部に形成されたスリット２ａ、２ａに差し込んで止める。
このようにすると、断面形状が長方形の状態で安定するようになる。
【００１７】
また、右側面板３の上部に形成された舌片３１を谷折り部ｆ３で直角に折り曲げて、左側面板４の上部に形成された舌片４１を谷折り部ｆ４で直角に折り曲げる。そして、背面部２の上部片２１との境界部分に横方向に形成された谷折り部ｆ１で直角に折り曲げて、さらに上部片２２との境界部分に横方向に形成された谷折り部ｆ２で180°に折り返して、前記二つの上部片２１、２２を重ねた状態で、背面板２に対して直角な面を構成する。前記上部片２２の先縁に形成された凸片２２ａ、２２ａをスリット２ｂ、２ｂに差し込んで止める。
このとき、前記谷折り部ｆ２は段ボールの厚みの分だけ離間した並行な２つの谷折り部として、内部に空間を確保し、その空間に、前記舌片３１、４１を差し込んでケースの形状を更に安定させる。
また、左側面板４の側部に凸設された舌片４２を折り曲げて、前面板５の端縁近傍に接着する。
【００１８】
このようにして組み立てた小物収納ケースは、図３に示したように、縦谷折り部ａ１と縦山折り部ｂ１との間の段ボールで構成された仕切り板ｃ１と、縦谷折り部ａ２と縦山折り部ｂ２との間の段ボールで構成された仕切り板ｃ２と、縦谷折り部ａ３と縦山折り部ｂ３との間の段ボールで構成された仕切り板ｃ３と、縦谷折り部ａ４と縦山折り部ｂ４との間の段ボールで構成された仕切り板ｃ４とが形成される。これらの仕切り板ｃ１，ｃ２，ｃ３，ｃ４は左側面板４と右側面板３とも並行で幅も同じに形成されている。
【００１９】
従って、左側面板４と仕切り板ｃ１とで両脇が囲まれた収納空間ｄ１と、仕切り板ｃ１と仕切り板ｃ２とで両脇が囲まれた収納空間ｄ２と、仕切り板ｃ２と仕切り板ｃ３とで両脇が囲まれた収納空間ｄ３と、仕切り板ｃ３と仕切り板ｃ４とで両脇が囲まれた収納空間ｄ４と、仕切り板ｃ４と右側面板３とで両脇が囲まれた収納空間ｄ５とが形成されるのである。
これらの収納空間は、両側に仕切りがあり、底面には底面板５１があり、背面には背面板２があり、前面の下部は前面板５で囲われているので、小物を確実に収納することができる。さらに、これらの収納空間の前面の上部は開放状態となっているので、収納されている小物を前方から視認しやすいので、小物の展示収納にも適している。
このとき、前面板５の上部５２の左端５２ｂは平面板と左側面板との境界の折り込み線ｅ２の位置に当接しており、左側への移動は規制された状態となっている。したがって、段ボールなどを用いた場合の復元力によって、前面板５の上部５２が図上の左側へ移動しようとしても規制されて移動できない。このようにして、組み立てた状態で安定するのである。（図５の（ｂ）を参照。）
加えて、前記上部片２１、２２と底面板５１とが前面板５及び背面板２に対して垂直に組み立てられて係止されているので、前面板５と背面板２との間隔が保持される。従って、収納空間がつぶれることなく、種々の収納物を安定して収納することができる。
【００２０】
なお、前記各切り込み線ｋ１、ｋ２、ｋ３、ｋ４、ｋ５は図示した形状に限らず、途中が種々の直線や曲線の組み合わせが可能である。
【００２１】
なお、凸片２３は、複数の当該小物収納ケースを縦に連結して展示等する場合に、上方の小物収納ケースに差し込んで連結するための構造である。
また、切り込み部３３、４３は当該小物収納ケースを箱から引き出す場合に指を掛けるための構造である。
【００２２】
本発明の小物収納ケースの材質は段ボールに限らず、厚紙や、樹脂製の板材等、種々の板財を利用することが可能である。
また、収納空間が５箇所形成される場合の小物収納ケースを例示したが、収納空間は２箇所以上の複数の収納空間が形成される場合もあることは当然である。また、組み立てた状態の図３において、手前の部分を前面板として以上の説明を行ったが、どの面を前面としても背面としてもよいことは当然である。
また、山折り、谷折りも、図２、図３の状態における山折り、谷折りであり、裏側から見ると、逆になることは当然であり、いずれにしても、少なくとも一組の山折り部と谷折り部とを備えておれば、収納空間を少なくとも２箇所に分けることができるのである。
【００２３】
【発明の効果】
本発明によれば、前面板には、互いに平行な縦谷折り部と縦山折り部とが少なくとも１組形成されているので、少なくとも一枚の縦方向の仕切り板を構成することができ、収納空間を少なくとも縦に２箇所に分けることが可能になった。また、前面板の下部が、縦谷折り部と直角方向に形成された山折り部で折り曲げられるので、収納空間の底面板が形成され、収納空間がつぶれることがないとともに、小物等を確実に収納することができるという効果が得られる。
【図面の簡単な説明】
【図１】本発明にかかる小物収納ケースの実施の形態の組み立て前の平面図である。
【図２】前記小物収納ケースを二つ折りに畳んだ状態の斜視図である。
【図３】前記小物収納ケースを組み立てた状態の斜視図である。
【図４】従来例の小物収納ケースの斜視図である。
【図５】前記小物収納ケースを二つ折りに畳んだ状態の平面図（図５の（ａ））と、組み立てた状態の平面図（図５の（ｂ））である。
【符号の説明】
１ 小物収納ケース
１' 板体
２ 背面板
３ 右側面板
４ 左側面板
５ 前面板
５１ 底面板
５２  前面板の上部
５２ａ  前面板の上部の右端
５２ｂ  前面板の上部の左端
ａ１，ａ２，ａ３，ａ４ 縦谷折り部
ｂ１，ｂ２，ｂ３，ｂ４ 縦山折り部
ｃ１，ｃ２，ｃ３，ｃ４ 仕切り板
ｃ１' ，ｃ２' ，ｃ３' ，ｃ４' 縦谷折り部と縦山折り部とで囲まれた部分
ｄ１，ｄ２，ｄ３，ｄ４，ｄ５ 収納空間
ｅ１，ｅ２，ｅ３ 縦折り部
ｇ 山折り部
ｋ１，ｋ２，ｋ３，ｋ４ 切り込み線
【図１】
0003872930.tif 000002
【図２】
0003872930.tif 000003
【図３】
0003872930.tif 000004
【図４】
0003872930.tif 000005
【図５】
0003872930.tif 000006